(57)【要約】【課題】居住空間に雨漏り等が生じることを防止するとともに、外装部材の壁部の浮き上がりを防止することが可能となる発泡樹脂建築物及び発泡樹脂建築物の構築方法を提供する。【解決手段】発泡樹脂素材を主材とする発泡樹脂建築物１に関する。発泡樹脂建築物１の周縁部に設けられる壁部８１と上部に設けられる屋根部８２とを有する外装部材８と、発泡樹脂建築物１の内部に設けられる骨組部材９とを備える。外装部材８は、複数の分割板４を接合させることによって設けられる。分割板４は、発泡樹脂素材が主材として用いられ、左端部４３及び右端部４４に第３切欠部７が形成されて、引付金具２が第３切欠部７及び骨組部材９に取り付けられることで、骨組部材９に固定される。【選択図】図１
2014224396.tif 000002
【特許請求の範囲】
【請求項１】
発泡樹脂素材を主材とする発泡樹脂建築物であって、
周縁部に設けられる壁部と上部に設けられる屋根部とを有する外装部材と、内部に設けられる骨組部材とを備え、
前記外装部材は、複数の分割板を接合させることによって設けられて、
前記分割板は、発泡樹脂素材が主材として用いられ、端部に切欠部が形成されて、引付金具が前記切欠部及び前記骨組部材に取り付けられることで、前記骨組部材に固定されること
を特徴とする発泡樹脂建築物。
【請求項２】
前記分割板は、左端部及び右端部の何れか一方又は両方に、表面側が切り欠かれて外周方向に延びる第３切欠部が形成されて、前記引付金具の基端部が前記骨組部材に取り付けられるとともに、前記引付金具の先端部が前記第３切欠部に取り付けられること
を特徴とする請求項１に記載の発泡樹脂建築物。
【請求項３】
前記外装部材は、発泡樹脂建築物の頂部で、押付金具が前記分割板の上端部及び前記骨組部材に取り付けられることで、前記骨組部材に固定されること
を特徴とする請求項１又は２に記載の発泡樹脂建築物。
【請求項４】
前記分割板は、上端部及び下端部の何れか一方に、表面側が切り欠かれて上下方向に延びて傾斜する第１切欠部が形成されるとともに、上端部及び下端部の何れか他方に、裏面側が切り欠かれて上下方向に延びて傾斜する第２切欠部が形成されること
を特徴とする請求項１〜３の何れか１項に記載の発泡樹脂建築物。
【請求項５】
発泡樹脂素材を主材とする発泡樹脂建築物の構築方法であって、
上端部及び下端部の何れか一方に、表面側が切り欠かれて上下方向に延びて傾斜する第１切欠部が形成されるとともに、上端部及び下端部の何れか他方に、裏面側が切り欠かれて上下方向に延びて傾斜する第２切欠部が形成された複数の分割板を上下方向に接合させて、発泡樹脂建築物の周縁部で外装部材の壁部を設ける壁部設置工程と、
左端部及び右端部の何れか一方又は両方に、表面側が切り欠かれて外周方向に延びる第３切欠部が形成された複数の分割板を、引付金具の基端部を骨組部材に取り付けるとともに、前記引付金具の先端部を前記第３切欠部に取り付けることで、前記骨組部材に固定させて、発泡樹脂建築物の上部で外装部材の屋根部を設ける屋根部設置工程とを備えること
を特徴とする発泡樹脂建築物の構築方法。
【発明の詳細な説明】
【技術分野】
【０００１】
本発明は、建築物の壁部等に主材として発泡樹脂素材が用いられた発泡樹脂建築物及び発泡樹脂建築物の構築方法に関する。
【背景技術】
【０００２】
従来より、発泡スチロールを構成材とする建築物として、例えば、特許文献１に開示される発泡スチロールドームが提案されている。
【０００３】
特許文献１に開示された発泡スチロールドームは、発泡スチロールを構成材とする複数のドーム片を、建築物の外周方向に連なるように集合させて組み立てるものであり、複数のドーム片によって形成される建築物の内部に、居住空間が形成されるものである。
【先行技術文献】
【特許文献】
【０００４】
【特許文献１】特開２００７−９６９２号公報
【発明の概要】
【発明が解決しようとする課題】
【０００５】
しかし、複数のドーム片の構成材となる発泡スチロールは、合成樹脂素材を微細な泡で発泡させて硬化させるものであり、発泡スチロールの成形製品の製作過程において、厳密に大きさを均一にして発泡させることが難しく、発泡スチロールの成形製品が大きくなるにしたがって、発泡スチロールの成形製品の製作精度を一定に維持することが困難なものとなる。
【０００６】
特許文献１に開示された発泡スチロールドームは、ドーム片が建築物の上下方向で一体的に成形されるものであり、各々のドーム片が大きくなるものであることから、複数のドーム片の大きさを均一にして製作することが困難なものとなる。このとき、特許文献１に開示された発泡スチロールドームは、複数のドーム片を隙間なく組み立てることが困難なものとなり、複数のドーム片の隙間から雨漏り等が生じるおそれがあるという問題点があった。
【０００７】
また、特許文献１に開示された発泡スチロールドームは、各々のドーム片が大きくなるものであることから、ドーム片が製作される工場から発泡スチロールドームの建築現場まで、各々のドーム片を運搬するために必要となる輸送コストが増大するおそれがあるとともに、発泡スチロールドームの建築に必要となる施工コストが増大するおそれがあるいう問題点があった。
【０００８】
さらに、特許文献１に開示された発泡スチロールドームは、複数のドーム片の構成材となる発泡スチロールが軽量であることから、発泡スチロールドームに対する横風等によって、各々のドーム片に対して、浮き上がるような外力が作用することになる。このとき、特許文献１に開示された発泡スチロールドームは、複数のドーム片が集合する発泡スチロールドームの上端部で、各々のドーム片が相互に接触して変形するものとなり、隣り合う複数のドーム片の間に隙間を生じさせるおそれがあり、また、ドーム片が横風等で吹き飛ばされるおそれがあるという問題点があった。
【０００９】
そこで、本発明は、上述した問題点に鑑みて案出されたものであり、その目的とするところは、居住空間に雨漏り等が生じることを防止するとともに、外装部材の壁部の浮き上がりを防止することが可能となる発泡樹脂建築物及び発泡樹脂建築物の構築方法を提供することにある。
【課題を解決するための手段】
【００１０】
第１発明に係る発泡樹脂建築物は、発泡樹脂素材を主材とする発泡樹脂建築物であって、周縁部に設けられる壁部と上部に設けられる屋根部とを有する外装部材と、内部に設けられる骨組部材とを備え、前記外装部材は、複数の分割板を接合させることによって設けられて、前記分割板は、発泡樹脂素材が主材として用いられ、端部に切欠部が形成されて、引付金具が前記切欠部及び前記骨組部材に取り付けられることで、前記骨組部材に固定されることを特徴とする。
【００１１】
第２発明に係る発泡樹脂建築物は、第１発明において、前記分割板は、左端部及び右端部の何れか一方又は両方に、表面側が切り欠かれて外周方向に延びる第３切欠部が形成されて、前記引付金具の基端部が前記骨組部材に取り付けられるとともに、前記引付金具の先端部が前記第３切欠部に取り付けられることを特徴とする。
【００１２】
第３発明に係る発泡樹脂建築物は、第１発明又は第２発明において、前記外装部材は、発泡樹脂建築物の頂部で、押付金具が前記分割板の上端部及び前記骨組部材に取り付けられることで、前記骨組部材に固定されることを特徴とする。
【００１３】
第４発明に係る発泡樹脂建築物は、第１発明〜第３発明の何れかにおいて、前記分割板は、上端部及び下端部の何れか一方に、表面側が切り欠かれて上下方向に延びて傾斜する第１切欠部が形成されるとともに、上端部及び下端部の何れか他方に、裏面側が切り欠かれて上下方向に延びて傾斜する第２切欠部が形成されることを特徴とする。
【００１４】
第５発明に係る発泡樹脂建築物の構築方法は、発泡樹脂素材を主材とする発泡樹脂建築物の構築方法であって、上端部及び下端部の何れか一方に、表面側が切り欠かれて上下方向に延びて傾斜する第１切欠部が形成されるとともに、上端部及び下端部の何れか他方に、裏面側が切り欠かれて上下方向に延びて傾斜する第２切欠部が形成された複数の分割板を上下方向に接合させて、発泡樹脂建築物の周縁部で外装部材の壁部を設ける壁部設置工程と、左端部及び右端部の何れか一方又は両方に、表面側が切り欠かれて外周方向に延びる第３切欠部が形成された複数の分割板を、引付金具の基端部を骨組部材に取り付けるとともに、前記引付金具の先端部を前記第３切欠部に取り付けることで、前記骨組部材に固定させて、発泡樹脂建築物の上部で外装部材の屋根部を設ける屋根部設置工程とを備えることを特徴とする。
【発明の効果】
【００１５】
第１発明〜第５発明によれば、断熱性能の高い発泡樹脂素材を主材とするものであるため、発泡樹脂建築物の居住空間における保温性を向上させることが可能となる。また、第１発明〜第５発明によれば、軽量な発泡樹脂素材を主材とするものであるため、外装部材の壁部及び屋根部を構成する複数の分割板を容易な運搬、施工を実現することができ、材料の輸送コストや、建築物の施工コストを低減させることが可能となる。
【００１６】
第１発明〜第５発明によれば、上下方向及び外周方向に細分化された複数の分割板が用いられるため、発泡樹脂素材を成形するときに生じる特有の大きさの不均一性を極力小さなものとすることができ、複数の分割板の製作精度を一定に維持することができる。これにより、第１発明〜第５発明によれば、複数の分割板の大きさを均一にして、隣り合う複数の分割板の間に隙間を生じさせないものとすることができ、居住空間に雨漏り等が生じることを防止することが可能となる。
【００１７】
特に、第１発明、第２発明によれば、引付金具の基端部が骨組部材に取り付けられるとともに、引付金具の先端部が第３切欠部に取り付けられるものとなり、複数の分割板の左端部及び右端部が骨組部材に引き付けられるように固定され、分割板が横風等によって吹き飛ばされないようにすることが可能となる。また、第１発明、第２発明によれば、発泡樹脂建築物の上下方向において、壁部に作用した風圧等の外力を屋根部に円滑に伝達させて、引付金具で屋根部の分割板が吹き飛ばされないように固定することが可能となる。
【００１８】
特に、第３発明によれば、押付金具で分割板の上端部が下方に向けて押さえつけられて固定されるものとなり、屋根部を構成する複数の分割板が横風等によって飛ばされないように、押付金具を用いて複数の分割板を骨組部材に強固に固定することが可能となる。
【００１９】
特に、第４発明によれば、上下方向に細分化された複数の分割板が用いられるため、発泡樹脂建築物の横方向から風圧が作用して、外装部材の壁部が浮き上がるように移動しようとした場合に、第１切欠部及び第２切欠部が変形することによって、外装部材の壁部の浮き上がるような移動を吸収できるものとなり、外装部材の壁部の浮き上がりを防止することが可能となる。
【００２０】
特に、第４発明によれば、複数の分割板の第１切欠部及び第２切欠部で、第１基端面及び第２先端面が、分割板の表面側よりも裏面側の方の上下方向の位置を高くして傾斜される。これにより、第４発明によれば、雨水等が第１切欠部及び第２切欠部に浸入した場合であっても、第１基端面及び第２先端面が下方に向けて傾斜されていることによって、雨水等を流下させることができ、居住空間に雨漏り等が生じることを防止することが可能となる。
【００２１】
特に、第５発明によれば、壁部設置工程及び屋根部設置工程において、発泡樹脂素材に特有の変形容易性を利用しながら、発泡樹脂建築物の上下方向で複数の分割板を容易かつ確実に接合することができるため、隣り合う複数の分割板の間に隙間を生じさせることなく、容易、迅速に外装部材の壁部及び屋根部を設けることが可能となる。
【図面の簡単な説明】
【００２２】
【図１】本発明を適用した略箱形状の発泡樹脂建築物を示す斜視図である。
【図２】本発明を適用した略ドーム形状の発泡樹脂建築物を示す斜視図である。
【図３】本発明を適用した発泡樹脂建築物を示す正面図である。
【図４】本発明を適用した発泡樹脂建築物を示す平面図である。
【図５】（ａ）は、本発明を適用した発泡樹脂建築物に用いられる分割板を示す正面図であり、（ｂ）は、その平面図であり、（ｃ）は、その左側面図である。
【図６】本発明を適用した発泡樹脂建築物に用いられる分割板において、第１切欠部及び第２切欠部の第１実施例を示す拡大側面図である。
【図７】本発明を適用した発泡樹脂建築物に用いられる分割板において、第１切欠部及び第２切欠部の第２実施例を示す拡大側面図である。
【図８】本発明を適用した発泡樹脂建築物に用いられる分割板において、第１切欠部及び第２切欠部の第３実施例を示す拡大側面図である。
【図９】本発明を適用した発泡樹脂建築物に用いられる分割板において、第３切欠部を示す拡大底面図である。
【図１０】本発明を適用した発泡樹脂建築物に引付金具を取り付けた態様を示す斜視図である。
【図１１】本発明を適用した発泡樹脂建築物に引付金具を取り付けた態様を示す左側面図である。
【図１２】（ａ）は、本発明を適用した発泡樹脂建築物に押付金具を取り付けた態様を示す正面図であり、（ｂ）は、その平面図である。
【図１３】本発明を適用した発泡樹脂建築物の構築方法の壁部設置工程において、第１実施例の第１切欠部と第２切欠部とが接合される態様を示す拡大側面図である。
【図１４】本発明を適用した発泡樹脂建築物の構築方法の壁部設置工程において、第２実施例の第１切欠部と第２切欠部とが接合される態様を示す拡大側面図である。
【図１５】本発明を適用した発泡樹脂建築物の構築方法の壁部設置工程において、第３実施例の第１切欠部と第２切欠部とが接合される態様を示す拡大側面図である。
【図１６】本発明を適用した発泡樹脂建築物の構築方法の屋根部設置工程において、発泡樹脂建築物の上部に屋根部が設けられる態様を示す側面図である。
【図１７】本発明を適用した発泡樹脂建築物の構築方法の壁部設置工程において、第３切欠部が接合される態様を示す拡大底面図である。
【図１８】本発明を適用した発泡樹脂建築物の外装部材の壁部に横方向から風圧が作用する態様を示す側面図である。
【発明を実施するための形態】
【００２３】
以下、本発明を適用した発泡樹脂建築物１を実施するための形態について、図面を参照しながら詳細に説明する。
【００２４】
本発明を適用した発泡樹脂建築物１は、図１に示すように、略箱形状に建築されるものや、図２に示すように、略ドーム形状に建築されるものであり、発泡樹脂素材が主材として用いられる。この発泡樹脂素材としては、例えば、発泡ポリスチレン、発泡ポリエチレン又は発泡ポリプロピレン等が用いられる。
【００２５】
本発明を適用した発泡樹脂建築物１は、発泡樹脂建築物１の居住空間を形成するために設けられる外装部材８と、発泡樹脂建築物１の内部で外装部材８の内側に設けられる骨組部材９とを備える。外装部材８は、発泡樹脂建築物１の周縁部に設けられる壁部８１と、発泡樹脂建築物１の上部に設けられる屋根部８２とを有するものである。
【００２６】
骨組部材９は、図３に示すように、発泡樹脂建築物１の上部で傾斜して設けられる垂木９１や、略水平方向に延びて設けられる梁材９２、略鉛直方向に延びて設けられる柱材９３等が組み合わされて構築される。骨組部材９は、主として、断面略矩形状の木材等が用いられるが、これに限らず、断面略円形状等の木材や鋼材等が用いられてもよい。
【００２７】
壁部８１は、発泡樹脂建築物１の外周方向Ｘに延びて設けられるとともに、発泡樹脂建築物１の上下方向Ｙに延びて設けられ、略鉛直に形成される。壁部８１は、複数に分割された分割板４が用いられ、発泡樹脂建築物１の外周方向Ｘ及び上下方向Ｙで、この複数の分割板４を接合させることによって構築される。
【００２８】
屋根部８２は、図４に示すように、発泡樹脂建築物１の外周方向Ｘに延びて設けられるとともに、発泡樹脂建築物１の上下方向Ｙ及び奥行方向Ｚに延びて設けられ、傾斜させて形成される。屋根部８２は、複数に分割された分割板４が用いられ、発泡樹脂建築物１の外周方向Ｘ、上下方向Ｙ及び奥行方向Ｚで、この複数の分割板４を接合させることによって構築される。
【００２９】
分割板４は、図５に示すように、発泡樹脂素材が主材として用いられるものであり、略矩形状の平板状に成形されて、上端部４１、下端部４２、左端部４３及び右端部４４で所定の形状の切欠部が形成されるものとなる。分割板４は、上端部４１において、第１切欠部５が形成され、下端部４２において、第２切欠部６が形成される。分割板４は、これに限らず、上端部４１において、第２切欠部６が形成され、下端部４２において、第１切欠部５が形成されてもよい。分割板４は、左端部４３及び右端部４４において、第３切欠部７が形成される。
【００３０】
このとき、分割板４は、上端部４１及び下端部４２において、上下方向Ｙに延びるとともに奥行方向Ｚに傾斜する第１切欠部５及び第２切欠部６が形成されるものとなる。第１切欠部５及び第２切欠部６は、例えば、図６に示すように、第１実施例として示される態様の切欠部や、図７に示すように、第２実施例として示される態様の切欠部、図８に示すように、第３実施例として示される態様等の切欠部が形成されるものとなる。
【００３１】
第１切欠部５は、第１実施例において、図６に示すように、分割板４の表面側Ａが切り欠かれて形成される。第１切欠部５は、上方向に突出して略水平に形成される第１先端面５１と、第１先端面５１から連続して分割板４の平板面と略平行に延びる第１当接面５６と、第１当接面５６の基端から奥行方向Ｚに傾斜させて形成される第１基端面５２とを有する。このとき、第１基端面５２は、分割板４の表面側Ａより裏面側Ｂの方が、上下方向Ｙの位置を高くして傾斜される。
【００３２】
第２切欠部６は、第１実施例において、分割板４の裏面側Ｂが切り欠かれて形成される。第２切欠部６は、下方向に突出して奥行方向Ｚに傾斜させて形成される第２先端面６１と、第２先端面６１から連続して分割板４の平板面と略平行に延びる第２当接面６６と、第２当接面６６の基端から略水平に形成される第２基端面６２とを有する。このとき、第２先端面６１は、分割板４の表面側Ａより裏面側Ｂの方が、上下方向Ｙの位置を高くして傾斜される。
【００３３】
第１切欠部５は、第２実施例において、図７に示すように、分割板４の表面側Ａが切り欠かれて形成される。第１切欠部５は、奥行方向Ｚに傾斜させて上方向に突出して形成される第１先端面５１と、第１先端面５１から連続して分割板４の平板面と略平行に延びる第１当接面５６と、第１当接面５６の基端から奥行方向Ｚに傾斜させて形成される第１基端面５２とを有する。このとき、第１先端面５１及び第１基端面５２は、分割板４の表面側Ａより裏面側Ｂの方が、上下方向Ｙの位置を高くして傾斜される。
【００３４】
第２切欠部６は、第２実施例において、分割板４の裏面側Ｂが切り欠かれて形成される。第２切欠部６は、奥行方向Ｚに傾斜させて下方向に突出して形成される第２先端面６１と、第２先端面６１から連続して分割板４の平板面と略平行に延びる第２当接面６６と、第２当接面６６の基端から奥行方向Ｚに傾斜させて形成される第２基端面６２とを有する。このとき、第２先端面６１及び第２基端面６２は、分割板４の表面側Ａより裏面側Ｂの方が、上下方向Ｙの位置を高くして傾斜される。
【００３５】
第１切欠部５は、第３実施例において、図８に示すように、分割板４の表面側Ａが切り欠かれて形成され、奥行方向Ｚに傾斜させて上方向に突出して形成される第１先端面５１と、第１先端面５１から連続して延びる第１褶動面５７と、第１褶動面５７の基端から奥行方向Ｚに傾斜させて形成される第１基端面５２とを有する。このとき、第１先端面５１及び第１基端面５２は、分割板４の表面側Ａより裏面側Ｂの方が、上下方向Ｙの位置を高くして傾斜される。また、第１褶動面５７は、第１先端面５１と第１基端面５２との間で、上下方向Ｙに延びて形成され、第１先端面５１側が表面側Ａに突出するように奥行方向Ｚに傾斜して形成される。
【００３６】
第２切欠部６は、第３実施例において、分割板４の裏面側Ｂが切り欠かれて形成され、奥行方向Ｚに傾斜させて下方向に突出して形成される第２先端面６１と、第２先端面６１から連続して延びる第２褶動面６７と、第２褶動面６７の基端から奥行方向Ｚに傾斜させて形成される第２基端面６２とを有する。このとき、第２先端面６１及び第２基端面６２は、分割板４の表面側Ａより裏面側Ｂの方が、上下方向Ｙの位置を高くして傾斜される。また、第２褶動面６７は、第２先端面６１と第２基端面６２との間で、上下方向Ｙに延びて形成され、第２先端面６１側が裏面側Ｂに突出するように奥行方向Ｚに傾斜して形成される。
【００３７】
第３切欠部７は、図９に示すように、分割板４の表面側Ａが切り欠かれて形成され、外周方向Ｘに傾斜させて形成される側面７１と、分割板４の平板面と略平行に形成される底面７２と、側面７１と底面７２との間に形成される溝部７３とを有する。第３切欠部７は、外周方向Ｘで隣り合う複数の分割板４の左端部４３及び右端部４４に形成されて、隣り合う複数の分割板４の左端部４３及び右端部４４を当接させた状態で、外周方向Ｘの両端部に一対の突出部７５が設けられた接合部材７４が嵌め込まれる。
【００３８】
本発明を適用した発泡樹脂建築物１は、図１０、図１１に示すように、引付金具２が第３切欠部７及び骨組部材９に取り付けられることで、複数の分割板４が骨組部材９に固定されるものである。引付金具２は、金属製や樹脂製等のものが用いられ、平板状の先端部２１と、平板状の基端部２２とを備える。先端部２１は、外周方向Ｘの両側端を折り曲げて折曲部２３が形成される。基端部２２は、骨組部材９の垂木９１や梁材９２等にネジ等を用いて取り付けられ、平板状の先端部２１と平板状の基端部２２とを略中央で連結するリブ２４が設けられる。
【００３９】
本発明を適用した発泡樹脂建築物１は、図１２（ａ）に示すように、発泡樹脂建築物１の頂部において、複数の分割板４の上端部４１で筒状部１１が形成される。本発明を適用した発泡樹脂建築物１は、押付金具３が分割板４の上端部４１及び骨組部材９に取り付けられることで、外装部材８が骨組部材９に固定されるものとすることができる。押付金具３は、支持脚３１と、下部固定板３２と、上部固定板３３と、ネジ棒３４と、押付板３５とを備える。
【００４０】
下部固定板３２は、略中央に貫通孔が形成されて、分割板４の上端部４１の下方に固定される。上部固定板３３は、略中央に貫通孔が形成されて、分割板４の上端部４１の上方に固定される。押付板３５は、略中央に貫通孔が形成されたカップ形状のものが用いられて、分割板４の上端部４１に側端部が上方から当接される。ネジ棒３４は、発泡樹脂建築物１の筒状部１１で上下方向Ｙに延びるように設けられ、下部固定板３２、上部固定板３３及び押付板３５の貫通孔に挿通されて、下方に向けて捩じ込まれる。
【００４１】
支持脚３１は、図１２（ｂ）に示すように、発泡樹脂建築物１の天井部で、平面略矩形状に形成された骨組部材９の四隅に向けて放射状に取り付けられる。このとき、本発明を適用した発泡樹脂建築物１は、分割板４の上端部４１が押付板３５の側端部で下方に向けて押さえつけられて固定されるものとなる。これにより、本発明を適用した発泡樹脂建築物１は、屋根部８２を構成する複数の分割板４が横風等によって飛ばされないように、押付金具３を用いて複数の分割板４を骨組部材９に強固に固定することが可能となる。
【００４２】
本発明を適用した発泡樹脂建築物１の構築方法は、発泡樹脂建築物１の周縁部で外装部材８の壁部８１を設ける壁部設置工程と、発泡樹脂建築物１の上部に外装部材８の屋根部８２を設ける屋根部設置工程とを備えるものである。
【００４３】
壁部設置工程では、発泡樹脂建築物１の外周方向Ｘ及び上下方向Ｙで、複数の分割板４を接合させることによって、壁部８１が構築される。壁部設置工程では、図１３、図１４、図１５に示すように、上下方向Ｙに隣り合う複数の分割板４において、一方の分割板４の第１切欠部５と、他方の分割板４の第２切欠部６とが、貫通ボルト４５で連結されるものである。壁部設置工程では、これに限らず、一方の分割板４の第１切欠部５と、他方の分割板４の第２切欠部６とが、接着剤等によって接着されて接合されてもよい。
【００４４】
第１切欠部５及び第２切欠部６は、第１実施例において、最初に、図１３（ａ）に示すように、壁部設置工程において、発泡樹脂素材の分割板４を変形させながら、第１当接面５６と第２当接面６６とを当接させて、第１当接面５６と第２当接面６６とを褶動させるものとなる。
【００４５】
第１切欠部５及び第２切欠部６は、第１実施例において、次に、図１３（ｂ）に示すように、壁部設置工程において、分割板４の表面側Ａから裏面側Ｂにかけて貫通ボルト４５が貫通されて、貫通ボルト４５に取付ナット４６が締め込まれるものとなる。
【００４６】
第１切欠部５及び第２切欠部６は、第１実施例において、最後に、図１３（ｃ）に示すように、壁部設置工程において、貫通ボルト４５に取付ナット４６が締め込まれることで、第１当接面５６と第２当接面６６とがさらに褶動するものとなり、貫通ボルト４５に取付ナット４６が締結されることで、略水平の第１先端面５１と第２基端面６２とを当接させるとともに、傾斜した第１基端面５２と第２先端面６１とを当接させるものとなる。
【００４７】
第１切欠部５及び第２切欠部６は、第２実施例において、最初に、図１４（ａ）に示すように、壁部設置工程において、発泡樹脂素材の分割板４を変形させながら、第１当接面５６と第２当接面６６とを当接させて、第１当接面５６と第２当接面６６とを褶動させるものとなる。
【００４８】
第１切欠部５及び第２切欠部６は、第２実施例において、次に、図１４（ｂ）に示すように、壁部設置工程において、分割板４の表面側Ａから裏面側Ｂにかけて貫通ボルト４５が貫通されて、貫通ボルト４５に取付ナット４６が締め込まれるものとなる。
【００４９】
第１切欠部５及び第２切欠部６は、第２実施例において、最後に、図１４（ｃ）に示すように、壁部設置工程において、貫通ボルト４５に取付ナット４６が締め込まれることで、第１当接面５６と第２当接面６６とがさらに褶動するものとなり、貫通ボルト４５に取付ナット４６が締結されることで、傾斜した第１先端面５１と第２基端面６２とを当接させるとともに、傾斜した第１基端面５２と第２先端面６１とを当接させるものとなる。
【００５０】
第１切欠部５及び第２切欠部６は、第３実施例において、最初に、図１５（ａ）に示すように、壁部設置工程において、発泡樹脂素材の分割板４を変形させながら、傾斜した第１褶動面５７と第２褶動面６７とを当接させて、第１褶動面５７と第２褶動面６７とを褶動させるものとなる。
【００５１】
第１切欠部５及び第２切欠部６は、第３実施例において、次に、図１５（ｂ）に示すように、壁部設置工程において、分割板４の表面側Ａから裏面側Ｂにかけて貫通ボルト４５が貫通されて、貫通ボルト４５に取付ナット４６が締め込まれるものとなる。
【００５２】
第１切欠部５及び第２切欠部６は、第３実施例において、最後に、図１５（ｃ）に示すように、壁部設置工程において、貫通ボルト４５に取付ナット４６が締め込まれることで、第１褶動面５７と第２褶動面６７とがさらに褶動するものとなり、貫通ボルト４５に取付ナット４６が締結されることで、傾斜した第１先端面５１と第２基端面６２とを当接させるとともに、傾斜した第１基端面５２と第２先端面６１とを当接させるものとなる。
【００５３】
第１切欠部５及び第２切欠部６は、第１実施例〜第３実施例の何れにおいても、分割板４の平板面に対して傾斜させて貫通ボルト４５が貫通されるため、貫通ボルト４５に取付ナット４６が締め込まれることで、発泡樹脂素材の分割板４の変形によって、第１切欠部５と第２切欠部６とが互いに引き寄せあうように変形するものとなる。
【００５４】
これにより、本発明を適用した発泡樹脂建築物１の構築方法は、壁部設置工程において、発泡樹脂素材に特有の変形容易性を利用しながら、発泡樹脂建築物１の上下方向Ｙで複数の分割板４を容易かつ確実に接合することができるため、隣り合う複数の分割板４の間に隙間を生じさせることなく、容易、迅速に壁部８１を設けることが可能となる。
【００５５】
本発明を適用した発泡樹脂建築物１の構築方法は、屋根部設置工程において、図１６（ａ）に示すように、壁部設置工程で設けられた壁部８１の上端に、発泡樹脂建築物１の上下方向Ｙの上方から屋根部８２を載せ置いて、屋根部８２の下面を壁部８１の上端に当接させることができる。また、本発明を適用した発泡樹脂建築物１の構築方法は、図１６（ｂ）に示すように、壁部設置工程で設けられた壁部８１の上端から延びるように連続して、発泡樹脂建築物１の上部で上方に湾曲させて形成された屋根部８２を設けるものとすることもできる。
【００５６】
屋根部８２は、壁部８１と同様に、第１切欠部５及び第２切欠部６が形成された複数の分割板４の上端部４１及び下端部４２を上下方向Ｙで接合させることができる。これにより、本発明を適用した発泡樹脂建築物１の構築方法は、発泡樹脂建築物１の上下方向Ｙにおいて、複数の分割板４を容易かつ確実に接合することができるため、隣り合う複数の分割板４の間に隙間を生じさせることなく、容易、迅速に屋根部８２を設けることが可能となる。
【００５７】
本発明を適用した発泡樹脂建築物１の構築方法は、屋根部設置工程において、図１７に示すように、外周方向Ｘで隣り合う複数の分割板４の左端部４３及び右端部４４を当接させた状態で、第３切欠部７に形成された溝部７３に、骨組部材９に取り付けられた引付金具２の折曲部２３が添設される。引付金具２の先端部２１は、引付金具２のリブ２４の両側で、複数の分割板４の左端部４３及び右端部４４の第３切欠部７に形成された底面７２に当接される。
【００５８】
複数の分割板４は、接合部材７４に形成された一対の突出部７５が第３切欠部７の溝部７３に嵌合されて、外周方向Ｘで隣り合う複数の分割板４の左端部４３及び右端部４４が接合される。接合部材７４は、第３切欠部７の溝部７３に接合部材７４の突出部７５が嵌合された状態で、分割板４の表面側Ａから裏面側Ｂにかけて長ネジ又は両ボルト７７を貫通させて、分割板４の表面側Ａと裏面側Ｂとに一対の取付板７８を備えたジョイント金具７６が取り付けられる。ジョイント金具７６は、長ネジ又は両ボルト７７にナットを締結することによって、分割板４の表面側Ａと裏面側Ｂとを一対の取付板７８で平面状に押圧するものとなる。
【００５９】
これにより、本発明を適用した発泡樹脂建築物１は、引付金具２の基端部２２が骨組部材９に取り付けられるとともに、引付金具２の先端部２１が第３切欠部７に取り付けられるものとなり、複数の分割板４の左端部４３及び右端部４４が骨組部材９に引き付けられるように固定され、分割板４が横風等によって吹き飛ばされないようにすることが可能となる。また、本発明を適用した発泡樹脂建築物１は、隣り合う複数の分割板４の左端部４３及び右端部４４において、第３切欠部７の溝部７３に引付金具２の折曲部２３が添設されて固定されるため、外周方向Ｘで隣り合う複数の分割板４を外周方向Ｘに離間しないように固定することが可能となる。さらに、本発明を適用した発泡樹脂建築物１は、外周方向Ｘで隣り合う複数の分割板４の左端部４３及び右端部４４を、ジョイント金具７６を用いて強固に接合させることが可能となる。
【００６０】
本発明を適用した発泡樹脂建築物１の構築方法は、屋根部設置工程において、発泡樹脂建築物１の外周方向Ｘで複数の分割板４を容易かつ確実に接合することができ、隣り合う複数の分割板４の間に隙間を生じさせることなく、容易、迅速に屋根部８２を設けることが可能となる。また、本発明を適用した発泡樹脂建築物１は、分割板４の左端部４３及び右端部４４において、第３切欠部７に溝部７３が形成されるため、雨水等が第３切欠部７に浸入した場合であっても、溝部７３を通じて雨水等を流下させることができ、居住空間に雨漏り等が生じることを防止することが可能となる。
【００６１】
また、本発明を適用した発泡樹脂建築物１の構築方法は、壁部設置工程においても、第３切欠部７が形成された複数の分割板４の左端部４３及び右端部４４を、外周方向Ｘで接合させることができるものである。このとき、本発明を適用した発泡樹脂建築物１は、柱材９３等の骨組部材９に取り付けられた引付金具２を用いて、複数の分割板４が骨組部材９に固定される。
【００６２】
これにより、本発明を適用した発泡樹脂建築物１の構築方法は、発泡樹脂建築物１の上下方向Ｙ及び外周方向Ｘにおいて、複数の分割板４を容易かつ確実に接合することができるため、隣り合う複数の分割板４の間に隙間を生じさせることなく、容易、迅速に壁部８１を設けることが可能となる。
【００６３】
なお、本発明を適用した発泡樹脂建築物１は、分割板４の左端部４３及び右端部４４の何れか一方において、第１切欠部５及び第２切欠部６の何れか一方が形成されるとともに、分割板４の左端部４３及び右端部４４の何れか他方において、第１切欠部５及び第２切欠部６の何れか他方が形成されてもよい。また、本発明を適用した発泡樹脂建築物１は、分割板４の上端部４１及び下端部４２の何れか一方又は両方において、第３切欠部７が形成されてもよい。
【００６４】
本発明を適用した発泡樹脂建築物１は、断熱性能の高い発泡樹脂素材を主材とするものであるため、発泡樹脂建築物１の居住空間における保温性を向上させることが可能となる。また、本発明を適用した発泡樹脂建築物１は、軽量な発泡樹脂素材を主材とするものであるため、壁部８１及び屋根部８２を構成する複数の分割板４の容易な運搬、施工を実現することができ、材料の輸送コストや、建築物の施工コストを低減させることが可能となる。
【００６５】
本発明を適用した発泡樹脂建築物１は、上下方向Ｙ及び外周方向Ｘに細分化された複数の分割板４が用いられるため、発泡樹脂素材を成形するときに生じる特有の大きさの不均一性を極力小さなものとすることができ、複数の分割板４の製作精度を一定に維持することができる。これにより、本発明を適用した発泡樹脂建築物１は、複数の分割板４の大きさを均一にして、隣り合う複数の分割板４の間に隙間を生じさせないものとすることができ、居住空間に雨漏り等が生じることを防止することが可能となる。
【００６６】
本発明を適用した発泡樹脂建築物１は、複数の分割板４の第１切欠部５及び第２切欠部６で、第１基端面５２及び第２先端面６１が、分割板４の表面側Ａよりも裏面側Ｂの方の上下方向Ｙの位置を高くして傾斜される。これにより、本発明を適用した発泡樹脂建築物１は、雨水等が第１切欠部５及び第２切欠部６に浸入した場合であっても、第１基端面５２及び第２先端面６１が下方に向けて傾斜されていることによって、雨水等を流下させることができ、居住空間に雨漏り等が生じることを防止することが可能となる。
【００６７】
本発明を適用した発泡樹脂建築物１は、軽量な発泡樹脂素材を主材とするものであり、また、第１基端面５２及び第２先端面６１が下方に向けて傾斜されていることによって、図１８に示すように、発泡樹脂建築物１の横方向から風圧等の外力が作用することで、壁部８１が浮き上がるように移動しようとするものとなる。このとき、本発明を適用した発泡樹脂建築物１は、発泡樹脂建築物１の上下方向Ｙにおいて、壁部８１に作用した風圧等の外力を屋根部８２に円滑に伝達させることができるとともに、引付金具２で屋根部８２の分割板４が吹き飛ばされないように固定することが可能となる。
【００６８】
また、本発明を適用した発泡樹脂建築物１は、上下方向Ｙに細分化された複数の分割板４が用いられるため、発泡樹脂建築物１の横方向から風圧が作用して、壁部８１が浮き上がるように移動しようとした場合に、第１切欠部５及び第２切欠部６において、発泡樹脂素材が変形するものとなる。このとき、本発明を適用した発泡樹脂建築物１は、第１切欠部５及び第２切欠部６が変形することによって、壁部８１の浮き上がるような移動を吸収できるものとなり、壁部８１の浮き上がりを防止することが可能となる。
【００６９】
以上、本発明の実施形態の例について詳細に説明したが、上述した実施形態は、何れも本発明を実施するにあたっての具体化の例を示したものに過ぎず、これらによって本発明の技術的範囲が限定的に解釈されてはならないものである。
【符号の説明】
【００７０】
１        ：発泡樹脂建築物
１１      ：筒状部
２        ：引付金具
２１      ：先端部
２２      ：基端部
２３      ：折曲部
２４      ：リブ
３        ：押付金具
３１      ：支持脚
３２      ：下部固定板
３３      ：上部固定板
３４      ：ネジ棒
３５      ：押付板
４        ：分割板
４１      ：上端部
４２      ：下端部
４３      ：左端部
４４      ：右端部
４５      ：貫通ボルト
４６      ：取付ナット
５        ：第１切欠部
５１      ：第１先端面
５２      ：第１基端面
５６      ：第１当接面
５７      ：第１褶動面
６        ：第２切欠部
６１      ：第２先端面
６２      ：第２基端面
６６      ：第２当接面
６７      ：第２褶動面
７        ：第３切欠部
７１      ：側面
７２      ：底面
７３      ：溝部
７４      ：接合部材
７５      ：突出部
７６      ：ジョイント金具
７７      ：両ボルト
７８      ：取付板
８        ：外装部材
８１      ：壁部
８２      ：屋根部
９        ：骨組部材
９１      ：垂木
９２      ：梁材
９３      ：柱材
Ａ        ：表面側
Ｂ        ：裏面側
Ｘ        ：外周方向
Ｙ        ：上下方向
Ｚ        ：奥行方向
【図１】
2014224396.tif 000003
【図２】
2014224396.tif 000004
【図３】
2014224396.tif 000005
【図４】
2014224396.tif 000006
【図５】
2014224396.tif 000007
【図６】
2014224396.tif 000008
【図７】
2014224396.tif 000009
【図８】
2014224396.tif 000010
【図９】
2014224396.tif 000011
【図１０】
2014224396.tif 000012
【図１１】
2014224396.tif 000013
【図１２】
2014224396.tif 000014
【図１３】
2014224396.tif 000015
【図１４】
2014224396.tif 000016
【図１５】
2014224396.tif 000017
【図１６】
2014224396.tif 000018
【図１７】
2014224396.tif 000019
【図１８】
2014224396.tif 000020